(57)【要約】【課題】物体が接触した時に発生する電気特性の変化を利用して光線の点滅を制御し、かつ係る光源の点滅を制御する技術を利用して、該タッチパネル構造が作動可能な状態のあるか否か、もしくは限定する範囲における敏感度をユーザーに指示することができるタッチパネル構造を提供する。【解決手段】導光層と、導光層の一方の面に設けられた第１ベースと、第２ベースとを含んでなり、第２ベースは電気回路を載荷し、かつ第１導体を設けてなり、第１ベースとの少なくとも一方の面には接合層を接着して該第１ベースと該導光層との間に介在させ、導光層の周囲に少なくとも１以上の発光部材を設けて該第２ベースの電気回路に接続する。【選択図】図２
0003130570.tif 000002
【実用新案登録請求の範囲】
【請求項１】
導光層と、該導光層の一方の面に設けられた第１ベースと、第２ベースとを含んでなり、
該第２ベースは電気回路を載荷し、かつ第１導体を設けてなり、
該第１ベースとの少なくとも一方の面には接合層を設けて該第１ベースと該導光層との間に介在させ、
該導光層の周囲に少なくとも１以上の発光部材を設けて該第２ベースの電気回路に接続することを特徴とするタッチパネル構造。
【請求項２】
前記第１ベースがポリカーボネートプラスチック（ｐｏｌｕｃａｒｂｏｎａｔｅ  ｐｌａｓｔｉｃ）によって形成されることを特徴とする請求項１に記載のタッチパネル構造。
【請求項３】
前記第１ベースがマイラー（Myler）によって形成されることを特徴とする請求項１に記載のタッチパネル構造。
【請求項４】
前記第１ベースがポリエステルフィルム（ｐｏｌｙｅｓｔｅｒ  ｆｉｌｍ）で形成されることを特徴とする請求項１に記載のタッチパネル構造。
【請求項５】
前記第１ベースがガラス（ｇｌａｓｓ）で形成されることを特徴とする請求項１に記載のタッチパネル構造。
【請求項６】
前記第１導体がスパッタリングで第２ベース上に形成されることを特徴とする請求項１に記載のタッチパネル構造。
【請求項７】
前記第１導体がプリントで第２ベース上に形成されることを特徴とする請求項１に記載のタッチパネル構造。
【請求項８】
前記第１導体に形成される光透過性のセンサトレースの配置が、フォトレジスト剤とエッチングによって達成されることを特徴とする請求項１に記載のタッチパネル構造。
【請求項９】
前記第１導体に形成される光透過性のセンサトレースの配置が、ネガ型パターンを塗布して第２ベースを覆い、さらに該ネガ型パターンを除去して光透過性のセンサトレースのパターンを残留させることを特徴とする請求項１に記載のタッチパネル構造。
【請求項１０】
前記第１導体に形成する光透過性のセンサトレースが該第２ベースの少なくとも一方の面にレイアウトされることを特徴とする請求項１に記載のタッチパネル構造。
【請求項１１】
前記第１導体がＸ軸のセンサトレースと、Ｙ軸のセンサトレースとを含むことを特徴とする請求項１に記載のタッチパネル構造。
【請求項１２】
前記第2ベースの電気回路にプロセッサが整合されることを特徴とする請求項１に記載のタッチパネル構造。
【請求項１３】
前記第2ベースの電気回路が、さらにプロセッサに接続することを特徴とする請求項１に記載のタッチパネル構造。
【考案の詳細な説明】
【技術分野】
【０００１】
この考案は、タッチパネル構造に関し、特にユーザーが指で接触してカーソルを移動させたり、入力することができるタッチパネル構造に関する。
【背景技術】
【０００２】
タッチパネルは、実体的な押しボタン、またはホイールのシミュレートから、複雑なモード、または操作の認識システムなどの各種入力機能を電子装置に提供することができる。例えば、アメリカ合衆国特許登録第５，８８０，４１１号公報では、優れた移動性、或いは動作認識機能を有するタッチパネルが開示されている。
【０００３】
また、タッチパネルの底面に画像を表示する場合、様々な応用の形態を採ることができる。例えば、タッチパネルで液晶表示装置、或いは陰極線管（ＣＲＴ）のモニタを被覆（或いは積層）した場合は、グラフィックユーザーインタフェイス（ＧＵＩ）の効果が得られる。または、その他の応用として、パネルの底面に情報を表示する静態的なパターンを設けてユーザーが入力する場合のガイドとすることもできる
【０００４】
しかしながら、上述する参考文献も含め、従来の技術には解決されない課題が残っている。
【０００５】
また、従来のコンデンサ式タッチパネルでは、アメリカ合衆国特許登録第５，４５７、２８９号公報第４、８０６、７０９号公報、第４、７３３、２２２号公報などが挙げられるが、これらについても解決されていない欠点を有する。アメリカ合衆国特許登録第５、４５７、２８９号公報ではフロンド保護マスクを必要とし、第４，８０６、７０９号公報では一致する導電面が必要である。このように、従来の技術には改善を要する欠点を有している。 
【特許文献１】アメリカ合衆国特許登録第５，８８０，４１１号公報
【特許文献２】アメリカ合衆国特許登録第５，４５７，２８９号公報
【特許文献３】アメリカ合衆国特許登録番号第４，８０６，７０９号公報
【特許文献４】アメリカ合衆国特許登録番号第４，７３３，２２２号公報
【考案の開示】
【考案が解決しようとする課題】
【０００６】
この考案は、物体が接触した時に発生する電気特性の変化を利用して光線の点滅を制御するタッチパネル構造であって、かつ、かかる光源の点滅を制御する技術を利用して、該タッチパネル構造が作動可能な状態のあるか否か、もしくは限定する範囲における敏感度をユーザーに指示することができるタッチパネル構造を提供することを課題とする。
【課題を解決するための手段】
【０００７】
そこで、本考案は従来の技術に見られる欠点に鑑みて鋭意研究を重ねた結果、導光層と、該導光層の一方の面に設けられた第１ベースと、電気回路を載荷し、かつ第１導体を設けてなる第２ベースとを含んでなり、該第１ベースとの少なくとも一方の面には接合層を接着して該第１ベースと該導光層との間に介在させ、該導光層の周囲に少なくとも１以上の発光部材を設けて該第２ベースの電気回路に電気的に接続したタッチパネル構造によって課題を解決できる点に着眼し、係る知見に基いて本考案を完成させた。
【０００８】
本考案によるタッチパネル構造について、以下に詳述する。
請求項１に記載のタッチパネル構造は、導光層と、該導光層の一方の面に設けられた第１ベースと、第２ベースとを含んでなり、
該第２ベースは電気回路を載荷し、かつ第１導体を設けてなり、
該第１ベースとの少なくとも一方の面には接合層を接着して該第１ベースと該導光層との間に介在させ、
該導光層の周囲に少なくとも１以上の発光部材を設けて該第２ベースの電気回路に接続する。
【０００９】
請求項２に記載のタッチパネル構造は、請求項１における第１ベースがポリカーボネートプラスチック（ｐｏｌｕｃａｒｂｏｎａｔｅ  ｐｌａｓｔｉｃ）によって形成される。
【００１０】
請求項３に記載のタッチパネル構造は、請求項１における第１ベースがマイラー（Myler）によって形成される。
【００１１】
請求項４に記載のタッチパネル構造は、請求項１における第１ベースがポリエステルフィルム（ｐｏｌｙｅｓｔｅｒ  ｆｉｌｍ）で形成される。
【００１２】
請求項５に記載のタッチパネル構造は、請求項１における第１ベースがガラス（ｇｌａｓｓ）で形成される。
【００１３】
請求項６に記載のタッチパネル構造は、請求項１における第１導体がスパッタリングで第２ベース上に形成される。
【００１４】
請求項７に記載のタッチパネル構造は、請求項１における第１導体がプリントで第２ベース上に形成される。
【００１５】
請求項８に記載のタッチパネル構造は、請求項１における第１導体に形成される光透過性のセンサトレースの配置が、フォトレジスト剤とエッチングによって達成される。
【００１６】
請求項９に記載のタッチパネル構造は、請求項１における第１導体に形成される光透過性のセンサトレースの配置が、ネガ型パターンを塗布して第２ベースを覆い、さらに該ネガ型パターンを除去して光透過性のセンサトレースのパターンを残留させる。
【００１７】
請求項１０に記載のタッチパネル構造は、請求項１における第１導体に形成する光透過性のセンサトレースが該第２ベースの少なくとも一方の面にレイアウトされる。
【００１８】
請求項１１に記載のタッチパネル構造は、請求項１における第１導体がＸ軸のセンサトレースと、Ｙ軸のセンサトレースとを含む。
【００１９】
請求項１２に記載のタッチパネル構造は、請求項１における第2ベースの電気回路にプロセッサが整合される。
【００２０】
請求項１３に記載のタッチパネル構造は、請求項１における第2ベースの電気回路が、さらにプロセッサに接続する。
【考案の効果】
【００２１】
この考案のタッチパネル構造は、物体が接触した時に発生する電気特性の変化を利用して光線の点滅を制御し、ユーザーに確実なタッチパネルの有する入力機能などの各種機能を提供できるという利点を有する。
【考案を実施するための最良の形態】
【００２２】
図１は、この考案によるタッチパネル構造１１をセンサユニットのタッチ式感知システム１とした実施可能な応用形態である（図示においてはタッチ式感知システム１に応用する）。
【００２３】
上述するタッチ式感知システム１は、タッチパネル構造１１と、プロセッサ１２とを含む。但し、係る形式に限定することはない。タッチパネル構造１１は、物体０が接近するか、または触れる（以下接触と称する）のを感知（または検出、検知）し（図３、４に開示するように物体０は指、スタイラスなどの伝導性を有する物体である。但し、これらに限らない）電気容量の変化を発生させる。即ち、該物体０はタッチパネル構造１１に設けた少なくとも１以上のセンサトレースの電気容量の変化を発生させる。
【００２４】
プロセッサ１２は、タッチパネル構造１１に接続し、電気容量の変化を検知し（または読み取り）、物体が接触するタッチパネル構造１１上の位置を判断する。
【００２５】
プロセッサ１２は、電気容量の変化にかかるデータをアクセスする入力ユニット１２１と、この入力ユニット１２１に接続し、電気容量の変化にかかるデータをデジタル化する演算ユニット１２２と、この演算ユニット１２２に接続し、デジタル化されたデータ（以下デジタル化データと称する）を処理して物体０（図３、４参照）が接触したタッチパネル構造１１の位置にかかるデータを得るためのベクタ処理ユニット１２３とを含む。
【００２６】
上述する位置に係るデータは、この考案によるタッチパネル構造１１を応用したその他デバイス、またはシステム（例えばコンピュータ、携帯電話機、パーソナル・デジタル・アシストなどか、及び、または、その表示装置などである。但し、これらに限らない）の利用に供する。例えば、これらデバイス、またはシステムの入力/出力（Ｉ/Ｏ）設備とした場合、入力ユニット１２１、演算ユニット１２２、ベクタ処理ユニット１２３もノイズを抑制する作用を有し、係る作用によってタッチパネル構造１１が感知したノイズを排除する。
【００２７】
可能な実施形態において、上述するセンサトレースは十分な電気容量を提供して物体０にカップリングする。該センサトレースは導体によって構成される細い線（これに限らない）であって、タッチパネル構造１１に予め設けられた物体０の接触位置に設けられる。
【００２８】
図２に開示するように（その他図示も参照されたし）タッチパネル構造１１は、次の各層を積層した部材である（但しこれらに限らない）。即ち、第１ベース１１Ａ１と、作動層１１Ｄとによって構成する。
【００２９】
第１ベース１１Ａ１は、少なくとも上面が光透過性を有し、且つ絶縁特性を有する。また、光透過性、絶縁特性を有する接着剤１１Ｂを介して光透過性の第１導体１１Ｃ及び／もしくは光透過性、絶縁特性を有する第２ベース１１Ａ２を接着する。
【００３０】
第１導体１１Ｃは、スパッタリング工程、またはプリント方式で第２ベース１１Ａ２上に蒸着する。また、第１導体１１Ｃに形成するセンサトレースの配置は、フォトレジスト剤とエッチング工程によって達成するか、または第１導体１１Ｃをスパッタリングか、選択的にネガ型パターン層をプリント、塗布して第２ベース１１Ａ２を覆い、次いでネガ型パターン層を除去して適宜な光透過性センサトレースのパターンを残留させてもよい。
【００３１】
上述する第１ベース１１Ａ１、第２ベース１１Ａ２は、ポリエステルフィルムか、ガラスか、ポリカーボネートプラスチックか、もしくはマイラー（Myler）などの光透過性の材料（但し、これらに限らない）を用いる。但し、係る形態に限定することなく、例えば第２ベース１１Ａ２を非光透過性の材料としてもよい。
【００３２】
上述する光透過性、絶縁特性を有する接着剤１１Ｂは、例えば３Ｍ♯８１４７、４６７などであるが、但し、これらに限らない。
【００３３】
光透過性の第１導体１１Ｃは、例えば酸化錫インジウム（ＩＴＯ）か、透明導電性プラスチック材、銀、金、アルミ合金などであるが、但し、これらに限らない。かかる技術分野の通常の知識を有する者であれば、理解できるはずである。その理由は、完全に透明な材料は存在しないからである。
【００３４】
タッチパネル構造１１の透明度を高める方法は、例えば次に掲げる二つの方法が挙げられる。一つは、第１ベース１１Ａ１、第２ベース１１Ａ２と接着剤１１Ｂは屈折率が近いか、または同等のものを選択し、異なる部材の屈折率の差を極めて小さくすることによって、光が材料を通過する場合の変形作用（または歪み作用）を最小限度にして光透過性を高める方法である。
【００３５】
他の一つは、アメリカ合衆国第５，８８０，４１１号に記載される感知技術である。これは高出力インピーダンスを許容するため、光透過性の第１導体１１Ｃのインピーダンス係数が相対的に高くなり、かつ安定する。このインピーダンス係数は、例えば３００ＯＭＥＧＡ／ｓｑｕａｒｅであって（但し、これに限定しない）、光透過性の第１導体１１Ｃの透明度を高めることができる。
【００３６】
作動層１１Ｄは、第１ベース１１Ａ１、または第２ベース１１Ａ２の一方の面で、かつ第１ベース１１Ａ１、第２ベース１１Ａ２越しに表示される位置に積層する。作動層１１Ｄは、例えば光透過性か、非光透過性のベースであるか、もしくは液晶表示装置（ＬＣＤ）、陰極線管（ＣＲＴ）、指紋認識装置、回路ボードなどの画像表示装置（但し、これらに限定しない）である。
【００３７】
実施可能な実施形態においては、作動層１１Ｄを完全に省略してもよい。または第２ベース１１Ａ２を省き、かつ第１導体１１Ｃを作動層１１Ｄに直接形成してもよい。また、第１ベース１１Ａ１と、第２ベース１１Ａ２を積層する場合の位置を交換しても、その機能を減損することはない。
【００３８】
また、第１ベース１１Ａ１が絶縁特性を有し、かつ第１導体１１Ｃ自体が第１ベース１１Ａ１に接着できれば、接着剤１１Ｂは除去するか、省いてもよい。即ち、例えば光透過性、絶縁特性を有する第１ベース１１Ａ１が光透過性の塗布層で覆われている場合などを指す。
【００３９】
図５と図６（その他の図も参照）に、一次元のタッチ式感知システム１の実施可能な実施の形態を開示する。図面に開示するタッチ式感知式システム１は、物体０の接触を感知することができるのみならず、第１導体１１Ｃにレイアウトしたセンサトレースのマトリクスの方向における物体０の位置を感知することができる。
【００４０】
物体０の位置は、第１導体１１Ｃにレイアウトされたセンサトレースマトリクスの電気容量値を検知して計算する。また、物体０に覆われてカップリングしたセンサトレースの電気容量値が増減する変化に基づいて物体０の位置を検知する。
【００４１】
プロセッサ１２は、アクセスした物体０の位置の連続したヒストリーに係るデータに基いて物体０のセンサトレースマトリクスに沿った移動を予測し、かつ／もしくはタッチパネル構造１１が感知した電気ノイズを制御するためのメカニズム、または構造を整合する。
【００４２】
一次元のタッチ式感知システム１のタッチパネル構造１１は、指定する軸に沿って等間隔で配置され、マトリクスを形成する複数のセンサトレースを含み、これにより物体のシフト（位置と移動などを含む）の十分な認識率を達成する。それぞれのセンサトレースの間隔は、予め設けられた物体０の接触に供する感知領域の特定の位置の少なくとも２つのセンサトレースを物体０が覆いやすいように設定し、該センサトレースの密度を高めるか、もしくは高精度のＡ／Ｄ転換（即ち、データのデジタル化であって、上述するプロセッサ１２により達成する）を高めて、タッチ式感知システム１による物体０の位置の計算の解析度を増進する。
【００４３】
図２に開示するように（但し、この実施形態に限定しない）、第１ベース１１Ａ１／或いは第２ベース１１Ａ２は、いずれも光透過性を具えた第１導体１１Ｃを塗布し、且つ第１導体１１Ｃが形成するセンサトレースマトリクスがフォトレジストやエッチング工程に使用され、配置が完成する。或いは、マイナス型のフォトレジストで形成した図案の層も光透過性を具えた第１ベース１１Ａ１、或いは第２ベース１１Ａ２を被覆することができる。例えば、光透過性の第１導体１１Ｃはスパッタリングか、或いは塗布して被覆する方法により第１ベース１１Ａ１、第２ベース１１Ａ２上に沈積され、フォトマスク及びエッチングの後、ネガ型のフォトレジストの図案層を除去すると、センサトレースマトリクスが残る。
【００４４】
図３と図５に開示するように（その他の図も参照）、センサトレースマトリクスはタッチパネル構造１１のＸ軸（即ち、Ｘ軸のセンサトレース１１Ｃ１マトリクス）の位置を計算する実施可能な実施モードであって、それぞれのセンサトレースの範囲を広げる。また、菱形領域のパターンには導電性を具えていない材料から形成された領域が含まれる。
【００４５】
図３と図６には（その他の図面も参照）、タッチパネル構造１１内のＹ軸（即ち、Ｙ軸のセンサトレース１１Ｃ２のマトリクス）の位置を計算するために用いる一部のセンサトレースマトリクスの実施可能な形態を開示する。それぞれのセンサトレース１１Ｃ２は光透過性の導体であって、菱形部１１Ｅを等間隔のピッチで配列したマトリクスを光透過性、絶縁特性を有する第２ベース１１Ａ２に設ける。よって、センサトレースの範囲を拡張することができる。また、菱形領域のパターンは非導電性材料の領域を含む。
【００４６】
図４と図７には（その他図面も参照）、象徴的な二次元のタッチ式感知システム１を開示する（図５と図６に開示するセンサトレースを整合しても実施可能な形式となる）。タッチ式感知システム１は、物体０の存在、または出現を検知することができる。例えば２方向の軸（説明の便宜を図るために、以下Ｘ軸、Ｙ軸と称する）に沿った物体０の位置である。
【００４７】
上述するセンサトレースマトリクスの実際の数とタッチパネル構造１１の２軸（Ｘ軸、またはＹ軸）の存在は、特定のシステム、または装置の感知領域と認識率のニーズによって決まる。十分な位置認識率を達成するために、それぞれのセンサトレースの間隔は、物体０が、感知領域のそれぞれの軸（Ｘ軸、Ｙ軸）の予め設定された位置であって、任意の少なくとも２つのセンサトレースを遮蔽するのに便利なようにレイアウトする。
【００４８】
図６（その他の図も参照）は、第２ベース１１Ａ２から見た、Ｙ軸のセンサトレースマトリクスが上面で、Ｘ軸のセンサトレース１１Ｃ１が第１ベース１１Ａ１底部に在るタッチパネル構造１１の底面図であって、少なくとも１以上の光透過性第１導体１１Ｃ層を感知領域全体に充填するために用いるために適している。第１導体１１Ｃ層の材料は、例えば酸化錫インジウム（ＩＴＯ）、金、銀など（但しこれらに限らない）である。
【００４９】
実施可能な形態において、図８（その他の図も参照）の二次元のタッチパネル構造１１に開示する積層構造は、積層する順を逆にしても機能を減損させることはない。Ｘ軸の光透過性、絶縁特性を有する第１ベース１１Ａ１は、物体０が接触する上面に設け、第１ベース１１Ａ１の一方の面には、光透過性のＸ軸のセンサトレース１１Ｃ１を設け、細く薄く、光透過性で、好ましい接着特性を有する絶縁体１１Ｆで、Ｘ軸のセンサトレース１１Ｃ１とＹ軸のセンサトレース１１Ｃ２とを隔離する。Ｙ軸のセンサトレース１１Ｃ２は、Ｘ軸のセンサトレース１１Ｃ１のように光透過性、絶縁性の第２ベース１１Ａ２の一方の面を覆う。
【００５０】
図２に開示する光透過性の第１ベース１１Ａ１、第２ベース１１Ａ２、接着剤１１Ｂ、絶縁体１１Ｆ、Ｘ軸のセンサトレース１１Ｃ１、及びＹ軸のセンサトレース１１Ｃ２などに係る技術は、同様に二次元のタッチパネル構造１１に適用することができる。
【００５１】
実施可能な形態において、電子防護マスク（図示しない）を利用して、センサトレースと、タッチ式感知システム１の電子回路が検知するノイズとを隔絶してもよい。
【００５２】
また、図９に開示する二次元のタッチパネル構造１１における第１ベース１１Ａ１、第２ベース１１Ａ２と、図８の開示とは、同様の技術である。第１ベース１１Ａ１の下には別途光透過性の第２導体１１Ｃ’と第３ベース１１Ａ３を付加する。第１導体１１Ｃによって構成するＸ軸のセンサトレース１１Ｃ１、Ｙ軸のセンサトレース１１Ｃ２と異なり、第２導体１１Ｃ’は接地の均一な導体層であって、タッチパネル構造１１を電子的に保護し、ノイズの影響、干渉を受けないようにする作用を有する。また、第２導体１１Ｃ’と第３ベース１１Ａ３の材料としては、例えば図２に開示す光透過性、もしくは非光透過性の材料が適するので、ここでは詳述しない。
【００５３】
第２導体１１Ｃ’及び／もしくは第３ベース１１Ａ３も第２ベース１１Ａ２と作動層１１Ｄとの間に挿入する。即ち、第２導体１１Ｃ’と第３ベース１１Ａ３によって透明接地プレートを増加し、また図２に開示する積層の一次元のタッチパネル構造１１にも適用できる。
【００５４】
図１０（他の図も参照）には、タッチ式感知システム１の二次元のタッチパネル構造１１の実施可能な形態を開示する。第１ベース１１Ａ１は、光透過性の絶縁体１１Ｆを光透過性の第１導体１１Ｃに接着する。これは図２に開示するように、第１導体１１ＣはＸ軸のセンサトレース１１Ｃ１のマトリクスをレイアウトし、且つ第２ベース１１Ａ２に塗布した一例である。
【００５５】
第２ベース１１Ａ２の一方の面には、別途塗布した第１導体１１Ｃに含まれるＹ軸のセンサトレース１１Ｃ２マトリクスをレイアウトする。
【００５６】
第４ベース１１Ａ４は、光透過性の絶縁体１１Ｆを光透過性の第１導体１１Ｃ（Ｙ軸のセンサトレース１１Ｃ２のマトリクスであってよい）に接着してなる。実施可能な形態においては、菱形のセンサトレース１１Ｃ１及び／もしくはセンサトレース１１Ｃ２を第2ベース１１Ａ２に配列した場合、誤差を減少させることを考慮して第2ベース１１Ａ２は光透過性の第１導体１１Ｃでその両側を覆うようにする。第２ベース１１Ａ２は、Ｘ軸のセンサトレース１１Ｃ１と、Ｙ軸のセンサトレース１１Ｃ２との両導体を具えるため、フォトレジスト材でトレースをレイアウトしてマトリクスをエッチング及び／もしくは蒸着などの方法で形成する以前に、パターン構成が発生する。よって、Ｘ軸のセンサトレース１１Ｃ１と、Ｙ軸のセンサトレース１１Ｃ２のレイアウトに係るパターン構成の工程を簡易化し、誤差を大幅に減少させることができる。
【００５７】
前述する光透過性、絶縁性の第１ベース１１Ａ１、第２ベース１１Ａ２、及び第４ベース１１Ａ４は、二次元、または一次元のタッチパネル構造１１に摘用することができる。また、電子の保護について言えば、光透過性の第４ベース１１Ａ４は、図９に開示する第２導体１１Ｃ’と第１ベース１１Ａ１とによって代替してもよい。
【００５８】
先の細いスタイラスであったとしても少なくとも２以上のセンサトレースにコンデンサカップリングできる程度にセンサトレースの密度を、高めるか、もしくはＡ／Ｄ転換の精度（即ちデータのデジタル化であって、上述するプロセッサ１２で達成することができる）を高めることによってセンサトレース（導体であるＸ軸のセンサトレース１１Ｃ１及び／もしくはＹ軸のセンサトレース１１Ｃ２のマトリクス）上における短時間の電気容量の変化を感知する敏感度を高めることができる。
【００５９】
図１１（その他図も参照）にタッチ式感知システム１のタッチパネル構造１１の別の実施形態を開示する。２次元の感知ユニットの積層構造は前述するそれぞれの図面のものと略同様である。第１ベース１１Ａ１の一方の面を、太い線であって、インピーダンス、光透過性を有する塗布層１１Ｇで被覆して先端の細いスタイラスの有効的な接触範囲を延伸させる。
【００６０】
図１２（その他図も参照）に積層して組み合わせたタッチパネル構造１１の実施形態を開示する。第１ベース１１Ａ１、第２ベース１１Ａ２は上述するそれぞれの図に開示される二次元のタッチパネル構造１１と同様であるが、第１ベース１１Ａ１、第２ベース１１Ａ２が弾性及び／もしくは可撓性を有する点において異なる。例えば、ポリエステルフィルムなどを用いるが、但しこれに限らない。
【００６１】
第２ベース１１Ａ２の下は光透過性の絶縁体１１Ｆを光透過性、可撓性の誘導体層１１Ｈに接着する。その他の層の絶縁体１１Ｆはそれぞれ上述の誘導体層１１Ｈ、光透過性を具えた第１導体１１Ｃ（Ｘ軸のセンサトレース１１Ｃ１及び／もしくはＹ軸のセンサトレース１１Ｃ２）、第３ベース１１Ａ３に接着する。該第３ベース１１Ａ３は、剛性の材料から形成する。剛性の材料は例えば、ガラス、ポリカーボネートプラスチック等及び／もしくはそれらから製造された回路板であるが、但しこれらに限らない。第２導体１１Ｃ’は電子接地の光透過性が均一な導体層とする。
【００６２】
以上をまとめると、第１ベース１１Ａ１は反射層であって、第１ベース１１Ａ１の一方の面に導光層１１Ｊ（図示しない）を増設する。また第２ベース１１Ａ２は電気回路を載荷した電気回路板及び／もしくは光透過性の第１導体１１Ｃ（Ｘ軸のセンサトレース１１Ｃ１及び／もしくはＹ軸のセンサトレース１１Ｃ２）である。
【００６３】
上述の第１ベース１１Ａ１は少なくとも一方の面に接合層１１’（例えば接着剤１１Ｂか、もしくは絶縁体１１Ｆ）を接着する。接合層１１’は第１ベース１１Ａ１と導光層１１Ｊとの間に介在させる。
【００６４】
また、導光層１１Ｊの周囲には少なくとも１以上の発光部材１１Ｌ（図示しない）を設け、且つ第２ベース１１Ａ２の電気回路か、もしくは上述のプロセッサ１２に接続する。よって使用者が導光層１１Ｊに触れて押し圧すると、第１ベース１１Ａ１及び／もしくは接合層が第１導体１１Ｃ（Ｘ軸のセンサトレース１１Ｃ１及び／もしくはＹ軸のセンサトレース１１Ｃ２）に接触して電気容量が変化する。第２ベース１１Ａ２の電気回路及び／もしくは上述のプロセッサ１２が電気容量の変化値を受信して発光部材１１Ｌの点滅を制御する。
【００６５】
発光部材１１Ｌからの光線は第１ベース１１Ａ１の反射、及び／もしくは導光層１１Ｊによる屈折によって、タッチパネル構造１１の位置及び範囲をユーザーに提示する機能を達成する。また、第２ベース１１Ａ２の電気回路は、プロセッサ１２と一体に整合してもよく、もしくは分離してもよい。
【００６６】
以上はこの考案の好ましい実施形態であって、この考案の実施の範囲を限定するものではない。よって、当業者のなし得る修正、もしくは変更であって、この考案の精神の下においてなされ、この考案に対して均等の効果を有するものは、いずれも本考案の実用新案請求の範囲に属するものとする。
【図面の簡単な説明】
【００６７】
【図１】この考案によるタッチパネル構造の応用の形態を示したブロック図である。
【図２】この考案によるタッチパネル構造の断面構造を示した説明図である。
【図３】この考案によるタッチパネル構造の使用態様の概念を示した説明図である。
【図４】この考案によるタッチパネル構造の他の使用態様の概念を示した説明図である。
【図５】この考案における第１導体のレイアウトを示した説明図である。
【図６】この考案における第１導体の他のレイアウトを示した説明図である。
【図７】この考案における第１導体のその他のレイアウトを示した説明図である。
【図８】他の実施形態によるタッチパネル構造の断面構造を示した説明図である。
【図９】その他実施形態によるタッチパネル構造の断面構造を示した説明図である。
【図１０】別の実施形態によるタッチパネル構造の断面構造を示した説明図である。
【図１１】もう一つの実施形態によるタッチパネル構造の断面構造を示した説明図である。
【図１２】さらに別の実施形態によるタッチパネル構造の断面構造を示した説明図である。
【図１３】この考案によるタッチ式パネル構造と発光部材との関係を示した説明図である。
【符号の説明】
【００６８】
０          物体
１          タッチ式感知システム
１１        タッチパネル構造
１１Ａ１    第１ベース
１１Ａ２    第２ベース
１１Ａ３    第３ベース
１１Ａ４    第４ベース
１１Ｂ      接着剤
１１Ｃ      第１導体
１１Ｃ１    センサトレース
１１Ｃ２    センサトレース
１１Ｃ’    第２導体
１１Ｄ      作動層
１１Ｅ      菱形部
１１Ｆ      絶縁体
１１Ｇ      塗布層
１１Ｈ      誘導体層
１１Ｊ      導光層
１１Ｌ      発光部材
１１’      接合層
１２        プロセッサ
１２１      入力ユニット
１２２      演算ユニット
１２３      ベクタ処理ユニット
【図１】
0003130570.tif 000003
【図２】
0003130570.tif 000004
【図３】
0003130570.tif 000005
【図４】
0003130570.tif 000006
【図５】
0003130570.tif 000007
【図６】
0003130570.tif 000008
【図７】
0003130570.tif 000009
【図８】
0003130570.tif 000010
【図９】
0003130570.tif 000011
【図１０】
0003130570.tif 000012
【図１１】
0003130570.tif 000013
【図１２】
0003130570.tif 000014
【図１３】
0003130570.tif 000015